(57)【要約】【課題】排水量を常時略一定にして鉢物植物への灌水時間が安定する栽培床の排水装置を得る。【解決手段】底板（１１）の周囲に側板（１２）を有する浅い容器状の栽培床（１０）を設け、前記底板（１１）の一部に下方に突出する排水導入部（１４）を設け、該排水導入部（１４）の中心部に上面が閉塞されかつ下面が外部に開口する排水規制筒（１５）を設けて前記排水導入部（１４）の外周に上面が開口しかつ底面が閉塞された環状の排水誘導路（１８）を形成し、前記排水規制筒（１５）に前記排水誘導路（１８）の下部と連通する水平方向の横孔（１６）を形成し、該横孔（１６）を介して前記排水誘導路（１８）の下部を外部に開口させる。【選択図】        図１
2004248609.tif 000002
【特許請求の範囲】
【請求項１】
底板（１１）の周囲に側板（１２）を有する浅い容器状の栽培床（１０）を設け、前記底板（１１）の一部に下方に突出する排水導入部（１４）を設け、該排水導入部（１４）の中心部に上面が閉塞されかつ下面が外部に開口する排水規制筒（１５）を設けて前記排水導入部（１４）の外周に上面が開口しかつ底面が閉塞された環状の排水誘導路（１８）を形成し、前記排水規制筒（１５）に前記排水誘導路（１８）の下部と連通する水平方向の横孔（１６）を形成し、該横孔（１６）を介して前記排水誘導路（１８）の下部を外部に開口させたことを特徴とする栽培床の排水装置。
【請求項２】
排水規制筒（１５−２）の内周に調節筒（２０）を回転調節可能に嵌合させ、前記排水規制筒（１５−２）と調節筒（２０）とに互いに対面可能な横孔（１６）と調節孔（２１）とを形成し、前記調節筒（２０）を回転調節して前記横孔（１６）の開口量を調節するようにしたことを特徴とする請求項１記載の栽培床の排水装置。
【請求項３】
調節筒（２０）の上面を閉塞するとともに、該上面を排水規制筒（１５−２）の上面から外部に露出させたことを特徴とする請求項２記載の栽培床の排水装置。
【発明の詳細な説明】
【０００１】
【発明の属する技術分野】
本発明は、植物、特に鉢植えされた植物に底面側から灌水する栽培床の排水装置に関するものである。
【０００２】
【従来の技術】
従来の技術として、図８に示すものがあった。図８において、１は栽培床であり、長方形状の底板２の周囲に側板３を起立固定して浅い箱状の栽培床１を形成し、前記底板２の一部に排水口４を形成する。また、上記排水口４に排水管５を接続し、該排水管５の途中に排水弁６を取り付ける。上記栽培床１の側部に給水管７を配置し、該給水管７から栽培床１内に所定量の水を供給し、栽培床１内に収容した鉢物植物８にその底部から灌水する。そして、上記排水弁６を開いて上記栽培床１内に供給した水を排水口４から外部に流出させ、鉢物植物８の灌水時間を調節するようにしたものがあった（例えば、特許文献１参照）。
【０００３】
【特許文献１】
特開平５−１３７４７０号公報（図２）
【０００４】
【発明が解決しようとする課題】
上記従来のものは、排水弁６を開いて栽培床１内の水を排水口４から外部に流出させる際に、栽培床１内の水位（ア）が所定量低下した時点で図８に示すように排水口４部に渦（イ）が発生し、排水口４からの時間当たりの流出量が上記水位（ア）の変化に伴って大きく変動することになる。このため、栽培床１内に収容した鉢物植物８の灌水時間が不安定となり、該鉢物植物８の育成に支障を来すことになる。本発明は、栽培床内の水位に左右されることなく排水口からの時間当たりの流出量を略一定にすることにより、上記不具合を解消した新奇な栽培床の排水装置を得ることを目的とする。
【０００５】
【課題を解決するための手段】
本発明は、上記目的を達成するために以下の如く構成したものである。即ち、請求項１に係る発明は、底板の周囲に側板を有する浅い容器状の栽培床を設け、前記底板の一部に下方に突出する排水導入部を設け、該排水導入部の中心部に上面が閉塞されかつ下面が外部に開口する排水規制筒を設けて前記排水導入部の外周に上面が開口しかつ底面が閉塞された環状の排水誘導路を形成し、前記排水規制筒に前記排水誘導路の下部と連通する水平方向の横孔を形成し、該横孔を介して前記排水誘導路の下部を外部に開口させる構成にしたものである。
請求項２に係る発明は、排水規制筒の内周に調節筒を回転調節可能に嵌合させ、前記排水規制筒と調節筒とに互いに対面可能な横孔と調節孔とを形成し、前記調節筒を回転調節して前記横孔の開口量を調節するようにしたものである。
請求項３に係る発明は、前記調節筒の上面を閉塞するとともに、該上面を排水規制筒の上面から外部に露出させるようにしたものである。
【０００６】
【発明の実施の形態】
以下本発明の実施の形態を図面に基いて説明する。図面において、図１は本発明の第１実施例を示す断面側面図、図２は図１の要部拡大断面側面図、図３は図１による排水規制筒の断面側面図、図４は本発明の第２実施例を示す要部拡大断面側面図、図５は本発明の第３実施例を示す断面側面図、図６は図５のＶＩ−ＶＩ断面図、図７は図５の排水規制筒を切り換え作動させた状態の断面図である。
【０００７】
図１において、１０は木製あるいはプラスチック製の栽培床であり、長方形の底板１１の周囲に側板１２を起立固定して長さ約１２０ｃｍ、幅約９０ｃｍ、高さ約１０ｃｍとなる浅い箱状に形成し、上記底板１１の右端部（一端部）に排水装置１３を取り付けてなる。なお、上記栽培床１０の大きさは、植物の種類、設置場所等によって適宜設定する。
【０００８】
上記排水装置１３は、図２、図３に示すように、底板１１の右端部に排水導入部１４を下方に向けて嵌合固定し、該排水導入部１４の中心部に排水規制筒１５を着脱可能に取り付けてなる。即ち、上記排水導入部１４は上部に大径部１４ａ、下部に小径部１４ｂを一体に有する塩化ビニール製の段付きパイプからなり、小径部１４ｂの内周に雌ねじ１４ｃが形成されている。また、上記排水規制筒１５は上面が閉塞されかつ下面が開口した塩化ビニール製のキャップからなり、上下中間部に水平方向の横孔１６が円周方向に４個形成され、下部外周に雄ねじ１７が形成されている。
【０００９】
上記排水規制筒１５は、その雄ねじ１７を排水導入部１４の雌ねじ１４ｃに螺合させて排水導入部１４の中心部に起立固定するとともに、その横孔１６を排水導入部１４の大径部１４ａの下部に位置させ、その上面を底板１１の基準面に位置させる。これにより、上記排水導入部１４と排水規制筒１５との間に上面が開口し、かつ底面が閉塞さた環状の排水誘導路１８を形成し、該排水誘導路１８の下部を上記各横孔１６を介して排水規制筒１５の内側、即ち、外部に連通させる。２３は上記排水導入部１４の小径部１４ｂに接続した排水管（又は排水ホース）である。
【００１０】
前述した栽培床１０の底板１１の上面全面に塩化ビニール製の波板２５を、該波板２５の上面にプラスチック製の多孔シート２６を順次載置し、排水導入部１４と対面する部位の波板２５に孔（符号省略）をあける。また、上記栽培床１０の左側部に給水管２７を臨ませ、該給水管２７の途中に電動式のポンプ２８を取り付ける。このポンプ２８の給水量は横孔１６の排水量に比しはるかに多量となる能力となっており、該ポンプ２８はタイマー機能を備えたコントローラー２９によって駆動制御される。３０は栽培床１０に収容した鉢物植物である。
【００１１】
なお、上記コントローラー２９は、そのタイマー部によってポンプ２８の作動が毎日定刻に所定時間設定できるようになっている。また、上記コントローラー２９によるポンプ２８の一回当たりの作動時間は、横孔１６からの排水時間が鉢物植物３０に必要とする灌水時間と対応する如く設定する。
【００１２】
図４は排水装置１３の第２実施例を示す。このものは、排水誘導部１４−１を直管パイプにより形成し、その内面に雌ねじ１４ｃを形成する。一方、排水規制筒１５−１を上部が小径部１５ａ、下部が大径部１５ｂとなる段付きパイプにより形成し、上記小径部１５ａの下端部に水平方向の横孔１６を円周方向に４個形成する。また、上記大径部１５ｂの外周に雄ねじ１７を形成する。
【００１３】
そして、上記排水規制筒１５−１の雄ねじ１７を排水導入部１４−１の雌ねじ１４ｃに螺合させて該排水規制筒１５−１の小径部１５ａを排水導入部１４−１の中心部に起立配置するとともに、その上面を底板１１の基準面に位置させる。これにより、上記排水導入部１４−１と排水規制筒１５−１の小径部１５ａとの間に上面が開口し、かつ底面が閉塞さた環状の排水誘導路１８を形成し、該排水誘導路１８の下部を上記各横孔１６を介して排水規制筒１５−１の内側、即ち、外部に連通させる。その他は前述した第１実施例と略同様となっている。
【００１４】
図５は第３実施例を示す。このものは、排水誘導部１４−２を第１実施例と同様に、上部が大径部１４ａ、下部が小径部１４ｂとなる段付きパイプにより形成し、小径部１４ｂの内周に雌ねじ１４ｃを形成する。また、排水規制筒１５−２は、その上面を開口させるとともに、上部が大径部１５ｃ、下部が小径部１５ｄとなる段付きパイプにより形成し、上記大径部１５ｃの下端部に２個の水平方向の横孔１６を円周方向に１８０度位相をずらせて形成する。また、上記小径部１５ｄの外周に雄ねじ１７を形成し、該雄ねじ１７を排水導入部１４−２の雌ねじ１４ｃに螺合させて排水規制筒１５−２の大径部１５ｃを排水導入部１４−２の中心部に起立配置するとともに、その横孔１６を排水誘導部１４−２の大径部１４ａの下部に位置させる。
【００１５】
上記排水規制筒１５−２の大径部１５ｃに上面が閉塞されたキャップ状の調節筒２０を回転可能に嵌合させる。該調節筒２０は、その下部に排水規制筒１５−２側の横孔１６と対面可能な４個の横向きの調節孔２１を有するとともに、上記大径部１５ｃに嵌合させた際にその上面を前述した底板１１の基準面に位置させる。上記４個の調節孔２１は、図６に示すように、円周方向に９０度位相をずらせて形成するとともに、水平方向に相対する一方の調節孔２１ａ，２１ａは上記横孔１６よりも小径に、他方の調節孔２１ｂ，２１ｂは上記横孔１６と略等径にする。
【００１６】
これにより、上記排水導入部１４−２と排水規制筒１５−２の大径部１５ｃとの間に上面が開口し、かつ底面が閉塞さた環状の排水誘導路１８を形成する。また、図６、図７に示すように、調節筒２０を回転調節して一方の調節孔２１ａ，２１ａ又は他方の調節孔２１ｂ，２１ｂを上記横孔１６に対面させることにより、該横孔１６の開口量を選択して上記排水誘導路１８の下部を排水規制筒１５−２の内側、即ち、外部に連通させる。その他は前述した第１実施例と略同様となっている。
【００１７】
上記実施例によれば、ポンプ２８がコントローラー２９によって設定された時間作動されると、給水管２７から栽培床１０内に所定量の水が供給され、該栽培床１０内に収容した鉢物植物３０への灌水が開始されることになる。このとき、上記栽培床１０内に供給された水は排水装置１３によって少量づつ外部に排出されてその水位（ア）が次第に低下していくことになる。
【００１８】
この場合、上記排水装置１３の排水誘導路１８は、その中心部に排水規制筒１５が存在し、環状となっているため、この部で渦が発生しなくなる。また、この排水誘導路１８に流下した水はその底部の横孔１６によって水平方向に方向変換されて排水管２３に向かうことになるため、該横孔１６部の流出量は栽培床１０内の水位（ア）にさほど左右されなくなり、常時略一定の流出量となる。このため、上記ポンプ２８によって給水された栽培床１０内の水の排出時間、従って上記鉢物植物３０への灌水時間が安定することになる。
【００１９】
また、排水規制筒１５−２の大径部１５ｃに径の異なる調節孔１４ａ、１４ｂを有する調節筒２０を回転可能に嵌合させ、上記調節孔１４ａ、１４ｂを選択して排水規制筒１５−２側の横孔１６に対面させることによって上記横孔１６の開口量を調節するようにしたので、栽培床１０の大きさ、鉢物植物３０の種類等によって排水装置１３の排出量を容易に調節することができる。なお、上記排水規制筒１５−２の横孔１６、及び調節筒２０の調節孔１４を共に円周方向に細長い長孔とし、調節筒２０を回転させて上記両者の長孔の重なり度合い（オーバーラップ量）を調節することによって排水規制筒１５−２側の長孔（横孔）の開口量を調節するようにしてもよい。また、前述した各実施例の横孔１６、調節孔１４の数及び大きさは栽培床１０の大きさ、植物の種類等によって適宜設定する。
【００２０】
【発明の効果】
以上の説明から明らかな如く、本発明は、上面が開口しかつ底面が閉塞された環状の排水誘導路を形成し、この排水誘導路の下部を水平方向の横孔を介して外部に開口させるようにしたので、排水量を栽培床内の水位にさほど左右されることなく常時略一定にすることができ、鉢物植物への灌水時間が安定し、該鉢物植物を均一に生育させることができる。
また、排水規制筒に調節孔を有する調節筒を回転可能に嵌合させ、この調節筒を回転させることによって排水規制筒に形成した横孔の開口量を調節するようにしたので、排水装置の排出量を栽培床の大きさ、鉢物植物の種類等によって容易に調節することができる。
【図面の簡単な説明】
【図１】本発明の第１実施例を示す断面側面図である。
【図２】図１の要部拡大断面側面図である。
【図３】図１による排水規制筒の断面側面図である。
【図４】本発明の第２実施例を示す要部拡大断面側面図である。
【図５】本発明の第３実施例を示す断面側面図である。
【図６】図５のＶＩ−ＶＩ断面図である。
【図７】図５の排水規制筒を切り換え作動させた状態の断面図である。
【図８】従来例を示す断面側面図である。
【符号の説明】
１０    栽培床
１１    底板
１２    側板
１３    排水装置
１４（１４−１，１４−２）    排水導入部
１４ａ  大径部
１４ｂ  小径部
１４ｃ  雌ねじ
１５（１５−１，１５−２）    排水規制筒
１５ａ  小径部
１５ｂ  大径部
１５ｃ  大径部
１５ｄ  小径部
１６    横孔
１７    雄ねじ
１８    排水誘導路
２０    調節筒
２１（２１ａ，２１ｂ）    調節孔
２３    排水管
２５    波板
２６    多孔シート
２７    給水管
２８    ポンプ
２９    コントローラー
３０    鉢物植物
【図１】
2004248609.tif 000003
【図２】
2004248609.tif 000004
【図３】
2004248609.tif 000005
【図４】
2004248609.tif 000006
【図５】
2004248609.tif 000007
【図６】
2004248609.tif 000008
【図７】
2004248609.tif 000009
【図８】
2004248609.tif 000010